(57)【要約】【課題】乳児や幼児に対しても容易に取り付けることが可能なマーカコイルを提供すること。【解決手段】本マーカコイルは、可撓性を有する基板と、前記基板に配線により形成されたコイルと、被験者に対して貼り付け可能な基板保持部と、を有し、前記基板及び前記基板保持部の何れか一方に凸形状を設け、前記凸形状に係合する係合部を前記基板及び前記基板保持部の何れか他方に設けた。【選択図】図４
2017217457.tif 000002
【特許請求の範囲】
【請求項１】
可撓性を有する基板と、
前記基板に配線により形成されたコイルと、
被験者に対して貼り付け可能な基板保持部と、を有し、
前記基板及び前記基板保持部の何れか一方に凸形状を設け、前記凸形状に係合する係合部を前記基板及び前記基板保持部の何れか他方に設けたことを特徴とするマーカコイル。
【請求項２】
前記凸形状は、前記基板保持部に設けられ、
前記係合部は、前記基板に設けられた孔であることを特徴とする請求項１に記載のマーカコイル。
【請求項３】
前記凸形状は、前記基板に設けられ、
前記係合部は、前記基板保持部に設けられた凹部であることを特徴とする請求項１に記載のマーカコイル。
【請求項４】
前記孔は、前記コイルの中心に設けられていることを特徴とする請求項２に記載のマーカコイル。
【請求項５】
前記凸形状は、前記孔を嵌め込む括れ部を有していることを特徴とする請求項２又は４に記載のマーカコイル。
【請求項６】
前記孔の周囲に、前記孔の外縁から外側に向かう切れ込みが設けられていることを特徴とする請求項２、４、又は５に記載のマーカコイル。
【請求項７】
前記基板の前記コイル上に補強板が設けられていることを特徴とする請求項１乃至６の何れか一項に記載のマーカコイル。
【請求項８】
前記基板は、共通部と、前記共通部から分岐する複数のコイル形成部と、を備え、
それぞれの前記コイル形成部には前記コイルが設けられ、
前記基板保持部を、前記コイルと同数以上備えることを特徴とする請求項１乃至７の何れか一項に記載のマーカコイル。
【請求項９】
請求項１乃至８の何れか一項に記載のマーカコイルと、前記コイルに電流を入力する電流入力部と、を有し、
前記電流入力部は、
前記基板に設けられたコネクタと、
前記コネクタの端子と前記コイルとを接続する配線と、を備えたことを特徴とするマーカコイルユニット。
【請求項１０】
可撓性を有する基板と、
前記基板に配線により形成された複数のコイルと、を有し、
被験者の体の一部に鉢巻状に装着可能なことを特徴とするマーカコイル。
【請求項１１】
前記基板には、それぞれの前記コイルを被覆する滑り止めシートが設けられていることを特徴とする請求項１０に記載のマーカコイル。
【請求項１２】
前記基板の前記コイル上に補強板が設けられていることを特徴とする請求項１０又は１１に記載のマーカコイル。
【請求項１３】
請求項１０乃至１２の何れか一項に記載のマーカコイルと、前記コイルに電流を入力する電流入力部と、を有し、
前記電流入力部は、
前記基板に設けられたコネクタと、
前記コネクタの端子と前記コイルとを接続する配線と、を備えたことを特徴とするマーカコイルユニット。
【発明の詳細な説明】
【技術分野】
【０００１】
本発明は、マーカコイル、及びマーカコイルユニットに関する。
【背景技術】
【０００２】
脳磁計は、脳の電気的な活動によって生じる微弱な磁場をＳＱＵＩＤ（Superconducting quantum interference device：超伝導量子干渉素子）センサアレイで計測し、磁場源と磁場分布の関係から、主たる神経活動の位置を同定する装置である。脳磁計は、例えば、臨床面ではてんかん焦点の同定、研究分野では脳活動の時間的変化を計測する目的で多く使用されている。
【０００３】
ところで、脳磁計は、磁場を計測することはできるが、脳の画像を取得することはできない。従って、脳磁計によって計測される磁場が、脳のどの部位から発生した磁場であるかを特定することができない。
【０００４】
そこで、脳磁計で頭部から発生する磁場を計測する前に、被験者の頭部に脳磁計用のマーカコイルを貼りつけ、頭部を固定した状態で、脳磁計用のマーカコイルに微弱な交流電流を流し、その位置を脳磁計で計測する。
【０００５】
一方、被験者の頭部の脳磁計用のマーカコイルと同じ位置にＭＲＩ（Magnetic Resonance Imaging：核磁気共鳴画像診断装置）用のマーカ（ＭＲＩマーカ）を貼りつけ、頭部を固定した状態で、ＭＲＩにより脳の画像を撮像する。ＭＲＩで撮影した画像上にはＭＲＩマーカの実体が写る。
【０００６】
次に、脳磁計用のマーカコイルの位置とＭＲＩマーカの位置とを合わせることで、脳磁計の座標系とＭＲＩの座標系とを一致させることができるため、ＭＲＩで計測した脳の画像に対して、脳磁計で推定した活動位置の座標を重ね合わせて利用することができる。
【０００７】
上記の重ね合わせに用いる脳磁計用のマーカコイルとしては、例えば、位置同定用の穴が形成されたプリント板上に、位置同定用の穴を中心とする渦巻き状のプリントコイルをプリント板の両面に形成すると共に、プリント板の各面に形成されたプリントコイルを直列接続した構造が提案されている。この脳磁計用のマーカコイルでは、プリント板がハウジング筐体に収納されている（例えば、特許文献１参照）。
【発明の概要】
【発明が解決しようとする課題】
【０００８】
しかしながら、上記のマーカコイルは、マーカコイル自体が重い、取り付けに時間がかかる等の理由により被験者に嫌悪感を与えるため、乳児（１歳未満）や幼児（１歳以上６歳以下）に対して取り付けることが困難であった。
【０００９】
本発明は、上記の点に鑑みてなされたものであり、乳児や幼児に対しても容易に取り付けることが可能なマーカコイルを提供することを目的とする。
【課題を解決するための手段】
【００１０】
本マーカコイルは、可撓性を有する基板と、前記基板に配線により形成されたコイルと、被験者に対して貼り付け可能な基板保持部と、を有し、前記基板及び前記基板保持部の何れか一方に凸形状を設け、前記凸形状に係合する係合部を前記基板及び前記基板保持部の何れか他方に設けたことを要件とする。
【発明の効果】
【００１１】
開示の技術によれば、乳児や幼児に対しても容易に取り付けることが可能なマーカコイルを提供できる。
【図面の簡単な説明】
【００１２】
【図１】脳磁計の概要について説明する図である。
【図２】第１の実施の形態に係るマーカコイルを例示する図である。
【図３】第１の実施の形態に係るマーカコイルを被験者の頭部に装着した様子を例示する図である。
【図４】第２の実施の形態に係るマーカコイルのコイル保持部を除く部分を例示する平面図である。
【図５】第２の実施の形態に係るマーカコイルのコイル近傍を例示する部分拡大図である。
【図６】第２の実施の形態に係るマーカコイルのコイル保持部を例示する図である。
【図７】コイル保持部を配置する位置の一例について説明する図である。
【図８】第２の実施の形態に係るマーカコイルを被験者の頭部に装着した様子を例示する図である。
【図９】第２の実施の形態に係るマーカコイルを湾曲させた様子を例示する図である。
【図１０】複数の基板を組み合わせて第２の実施の形態に係るマーカコイルを作製する例を示す図である。
【図１１】第２の実施の形態の変形例１に係るマーカコイルユニットを例示する図である。
【図１２】第２の実施の形態の変形例２に係るマーカコイルユニットのコイル近傍を例示する部分拡大図である。
【図１３】第２の実施の形態の変形例２に係るマーカコイルユニットの基板保持部を例示する図である。
【図１４】第２の実施の形態の変形例２に係るマーカコイルユニットの基板保持部を基板に装着した様子を例示する図である。
【図１５】基板保持部の他の例を示す図（その１）である。
【図１６】基板保持部の他の例を示す図（その２）である。
【図１７】第２の実施の形態の変形例３に係るマーカコイルユニットについて説明する図である。
【図１８】第２の実施の形態の変形例４に係るマーカコイルユニットについて説明する図（その１）である。
【図１９】第２の実施の形態の変形例４に係るマーカコイルユニットについて説明する図（その２）である。
【図２０】第２の実施の形態の変形例５に係るマーカコイルユニットについて説明する図（その１）である。
【図２１】第２の実施の形態の変形例５に係るマーカコイルユニットについて説明する図（その２）である。
【図２２】第２の実施の形態の変形例６に係るマーカコイルユニットの基板保持部を基板に装着した様子を例示する図である。
【図２３】第２の実施の形態の変形例７に係るマーカコイルユニットの基板保持部を基板に装着した様子を例示する図である。
【発明を実施するための形態】
【００１３】
以下、図面を参照して、実施の形態の説明を行う。なお、各図面において、同一構成部分には同一符号を付し、重複した説明を省略する場合がある。
【００１４】
〈第１の実施の形態〉
（脳磁計）
図１は、脳磁計の概要について説明する図である。脳磁計１００は、デューワ１１０と、ＳＱＵＩＤセンサアレイ１２０と、計測部１３０とを有している。
【００１５】
デューワ１１０は、ＳＱＵＩＤセンサアレイ１２０の極低温動作に必要な液体ヘリウムを保持している。デューワ１１０には、被験者の頭部３００の一部が挿入される凹部１１０ｘが設けられている。
【００１６】
ＳＱＵＩＤセンサアレイ１２０は、デューワ１１０内に配置された複数のＳＱＵＩＤセンサ１２１（例えば、１６０個程度）を備えている。各ＳＱＵＩＤセンサ１２１は、脳の神経活動にともなって発生する微弱磁場を頭皮上から計測できる向きに配置されている。
【００１７】
計測部１３０は、各ＳＱＵＩＤセンサ１２１が検出した磁場の強度を計測して、脳から発生する磁場の強度分布を示す磁場分布データを生成する。磁場分布データは、例えば、等磁力線図として図形化することができる。
【００１８】
前述のように、脳磁計１００は、磁場分布データを生成することはできるが、脳の画像を取得することはできないため、脳磁計１００によって検出される磁場が、脳のどの部位から発生した磁場であるかを特定することができない。
【００１９】
そこで、脳磁計１００で頭部から発生する磁場を計測する前に、被験者の頭部にマーカコイルユニット１０を貼りつけ、頭部３００を固定した状態で、マーカコイルユニット１０に微弱な交流電流を流し、その位置を計測部１３０で計測する。
【００２０】
複数のＳＱＵＩＤセンサ１２１が配置された座標は予めわかっているので、マーカコイルユニット１０に電流を流したときにどの位置のＳＱＵＩＤセンサ１２１から磁場が検出されるかを計測部１３０で計測することで、マーカコイルユニット１０の位置を特定できる。
【００２１】
マーカコイルユニット１０の位置を特定した後、被験者に視覚刺激、聴覚刺激、電気刺激等を与えながら脳磁計１００で被験者の頭部から発生する磁場分布データを生成する。この際、マーカコイルユニット１０には電流は流さない。
【００２２】
脳磁計１００による磁場分布データの生成とは別に、被験者の頭部のマーカコイルユニット１０と同じ位置にＭＲＩマーカを貼りつけてＭＲＩにより脳の３次元断層画像を撮像する。ＭＲＩで撮影した３次元断層画像上にはＭＲＩマーカの実体が写るので、マーカコイルユニット１０の位置とＭＲＩマーカの位置とを合わせることで、脳磁計１００の座標系とＭＲＩの座標系とを一致させることができる。すなわち、ＭＲＩで計測した脳の３次元断層画像に対して、脳磁計１００で推定した活動位置の座標を重ね合わせて利用することができる。
【００２３】
（マーカコイルユニット）
図２は、第１の実施の形態に係るマーカコイルユニットを例示する図であり、図２（ａ）は平面図、図２（ｂ）は図２（ａ）のＡ−Ａ線に沿う断面図、図２（ｃ）はコイル１２近傍の部分拡大平面図である。但し、図２（ａ）において補強板１８の図示は省略されており、図２（ｂ）においてコイル１２の断面は簡略化して描かれている。
【００２４】
図２に示すように、マーカコイルユニット１０は、基板１１と、コイル１２と、配線１３と、コイル１４と、配線１５と、コイル１６と、配線１７と、補強板１８と、滑り止めシート１９と、コネクタ２０とを有している。
【００２５】
マーカコイルユニット１０において、基板１１、コイル１２、コイル１４、コイル１６、補強板１８、及び滑り止めシート１９はマーカコイルを構成している。言い換えれば、マーカコイルに、電流入力部となる配線１３、配線１５、配線１７、及びコネクタ２０を加えた部分がマーカコイルユニット１０である。
【００２６】
マーカコイルユニット１０の重さは、例えば、３０ｇ以下程度とすることができる。マーカコイルユニット１０は、乳児に容易に装着できることを考慮したものであるが、幼児に装着してもよいし、中学生や高校生、成人等に装着してもよい。
【００２７】
基板１１としては、可撓性を有するポリイミド等からなる細長状のフレキシブルプリント基板（ＦＰＣ：Flexible Printed Circuits）を用いることができる。基板１１の大きさは、例えば、長手方向が４５０ｍｍ程度、短手方向が３０ｍｍ程度とすることができる。基板１１の厚さは、例えば、１０〜１００μｍ程度とすることができる。
【００２８】
コイル１２は、配線により形成された所謂プリントコイルであり、基板１１の一方の面１１ａに形成された渦巻き状のパターンと、他方の面１１ｂに形成された渦巻き状のパターンとが、基板１１を貫通する貫通配線１１ｔにより直列に接続された構造とされている。
【００２９】
コイル１２において、基板１１の一方の面１１ａに形成された渦巻き状のパターンと、他方の面１１ｂに形成された渦巻き状のパターンとは、平面視で略重複する位置に形成されている。ここで、平面視とは、対象物を基板１１の一方の面１１ａ又は他方の面１１ｂの法線方向から視ることを指す。
【００３０】
配線１３は、基板１１の一方の面１１ａに形成されたパターンと、他方の面１１ｂに形成されたパターンとから形成されている。配線１３において、基板１１の一方の面１１ａに形成されたパターンと、他方の面１１ｂに形成されたパターンとは、平面視で略重複する位置に形成されている。
【００３１】
配線１３において、基板１１の一方の面１１ａに形成されたパターンは、コネクタ２０の端子の１つとコイル１２の基板１１の一方の面１１ａに形成された渦巻き状のパターンの一端とを接続している。又、基板１１の他方の面１１ｂに形成されたパターンは、コネクタ２０の端子の１つとコイル１２の基板１１の他方の面１１ｂに形成された渦巻き状のパターンの一端とを接続している。
【００３２】
コネクタ２０の端子から配線１３を介してコイル１２に電流を流すと、コイル１２の基板１１の一方の面１１ａに形成された渦巻き状のパターンと、他方の面１１ｂに形成された渦巻き状のパターンには、同位相の電流が流れる。これに対して、配線１３の基板１１の一方の面１１ａに形成されたパターンと、他方の面１１ｂに形成されたパターンには、逆位相の電流が流れる。
【００３３】
この構造により、配線１３及びコイル１２に電流を流したときに、コイル１２のみに磁場を発生させ、配線１３には磁場を発生させないようにすることができる。なお、コイル１４及び１６はコイル１２と同様の構造であり、配線１５及び１７は配線１３と同様の構造である。
【００３４】
コイル１２、１４、及び１６のそれぞれの一方の側には、補強板１８が設けられている。補強板１８は、マーカコイルユニット１０を被験者の頭部に装着したときに、各コイルが歪んで位置推定時の誤差が大きくなることを防止するために設けたものである。補強板１８は、コイル１２、１４、及び１６の両方の側に設けてもよい。
【００３５】
補強板１８は、例えば、アクリル等の樹脂により形成することができる。補強板１８の平面形状は、例えば円形とすることができるが、これには限定されない。ここで、平面形状とは、対象物を基板１１の一方の面１１ａ又は他方の面１１ｂの法線方向から視た形状を指すものとする。
【００３６】
基板１１の他方の面１１ｂには、各配線の一部及び各コイルを被覆する滑り止めシート１９が設けられている。滑り止めシート１９は、マーカコイルユニット１０が被験者に装着された際、被験者との間の摩擦力を高め、位置ずれが起きないようにするものである。滑り止めシート１９としては、例えば、ウレタン樹脂等を用いることができる。
【００３７】
コネクタ２０は、基板１１の一端側に設けられている。コネクタ２０は、マーカコイルユニット１０の各コイルに電流を流すための電流供給装置（発振器等）と接続される部分である。電流供給装置は、脳磁計１００の計測部１３０内に設けてもよいし、計測部１３０とは別に設けてもよい。
【００３８】
コネクタ２０としては、例えば、モジュラージャック等を用いることができる。コネクタ２０を設けることで、マーカコイルユニット１０を一括で電流供給装置に接続できるため、電流供給装置との接続が容易になる。この場合、コネクタ２０と、コネクタ２０の端子とコイル１２、１４、及び１６とを接続する配線１３、１５、及び１７とが、コイル１２、１４、及び１６に電流を流すための電流入力部となる。
【００３９】
但し、コネクタ２０を用いない構成としてもよい。例えば、基板１１の一端側に配線１３等と接続される端子を露出させておき、露出した端子を電流供給装置と接続されたクリップで摘まむようにしてもよい。この場合、基板１１の一端側に露出する端子と配線１３、１５、及び１７とが、コイル１２、１４、及び１６に電流を流すための電流入力部となる。
【００４０】
図３は、第１の実施の形態に係るマーカコイルユニットを被験者の頭部に装着した様子を例示する図であり、ここでは被験者として乳児を想定したマネキンを用いている。図３に示すように、マーカコイルユニット１０は、滑り止めシート１９を頭部３００側に向けて鉢巻状に頭部３００に装着する。マーカコイルユニット１０が頭部３００を一周して重なる部分は、例えば、両面テープにより固定することができる。
【００４１】
なお、脳磁計１００のｘ、ｙ、ｚ方向の座標系を求めるためには、マーカコイルユニット１０に３つ以上のコイルを設ける必要がある。図１等ではマーカコイルユニット１０に３つのコイルを設ける例を示しているが、４つ以上のコイルを設けても構わない。
【００４２】
このように、マーカコイルユニット１０では、可撓性を有する基板１１に配線によりコイル１２、１４、及び１６を形成することにより軽量化している。又、基板１１を細長状とし、被験者の頭に鉢巻状に装着可能とすることで、ワンタッチで被験者に装着できる。これらにより、被験者に与える嫌悪感を緩和することが可能となり、乳児や幼児に対しても容易にマーカコイルユニット１０を取り付けることができる。
【００４３】
又、マーカコイルユニット１０では、基板１１を細長状とし、被験者の頭に鉢巻状に装着可能とすることで、髪の毛のある場所にも容易に装着することができる。
【００４４】
又、マーカコイルユニット１０では、被験者の肌に両面テープが触れないため、被験者の肌にかゆみ等が生じることを防止できる。特にかゆみ等に敏感な乳児に装着する際に好適である。
【００４５】
〈第２の実施の形態〉
図４は、第２の実施の形態に係るマーカコイルユニットを例示する図である。図４（ａ）はマーカコイルユニットの基板保持部を除く部分を例示する平面図、図４（ｂ）及び図４（ｃ）はマーカコイルユニットの基板保持部を例示する断面図である。
【００４６】
図５は、第２の実施の形態に係るマーカコイルユニットのコイル近傍を例示する部分拡大図であり、図５（ａ）は平面図、図５（ｂ）は図５（ａ）のＢ−Ｂ線に沿う断面図である。但し、図５（ｂ）においてコイル３２の断面は簡略化して描かれている。図６は、第２の実施の形態に係るマーカコイルユニットの基板保持部を例示する図であり、図６（ａ）は斜視図、図６（ｂ）は基板保持部を基板に装着した様子を示す断面図である。
【００４７】
図４〜図６に示すように、マーカコイルユニット３０は、基板３１と、コイル３２と、配線３３と、コイル３４と、配線３５と、コイル３６と、配線３７と、コイル３８と、配線３９と、コネクタ４０と、補強板４１と、基板保持部５０とを有している。なお、マーカコイルユニット３０において、基板保持部５０とそれ以外の部分とは別体になっており、被験者の頭部に装着される際に一体化される。
【００４８】
基板保持部５０は、コイル３２、３４、３６、及び３８のそれぞれの中心側の孔３１ｘに１つずつ挿入される。そのため、図４（ｂ）に示すように、マーカコイルユニット３０は、基板保持部５０をコイルと同数（本実施の形態では４つ）備えている。但し、基板保持部５０の紛失や破損等を考慮し、図４（ｃ）に示すように、基板保持部５０をコイルと同数以上備えてもよい。
【００４９】
マーカコイルユニット３０において、基板３１、コイル３２、コイル３４、コイル３６、コイル３８、補強板４１、及び基板保持部５０はマーカコイルを構成している。言い換えれば、マーカコイルに、電流入力部となる配線３３、配線３５、配線３７、配線３９、及びコネクタ４０を加えた部分がマーカコイルユニット３０である。
【００５０】
マーカコイルユニット３０の重さ（基板保持部５０も含む）は、例えば、２０ｇ以下程度とすることができる。マーカコイルユニット３０は、幼児に容易に装着できることを考慮したものであるが、乳児に装着してもよいし、中学生や高校生、成人等に装着してもよい。
【００５１】
基板３１としては、可撓性を有するポリイミド等からなるフレキシブルプリント基板を用いることができる。基板３１の厚さは、例えば、１０〜１００μｍ程度とすることができる。基板３１は、コネクタ４０に接続された共通部３１０と、共通部３１０から分岐するコイル形成部３１１、３１２、３１３、及び３１４とを備えている。
【００５２】
コイル形成部３１１には、コイル３２が形成されている。コイル３２は、基板３１の一方の面３１ａに形成された渦巻き状のパターンと、他方の面３１ｂに形成された渦巻き状のパターンとが、基板３１を貫通する貫通配線３１ｔにより直列に接続された構造とされている。コイル３２において、基板３１の一方の面３１ａに形成された渦巻き状のパターンと、他方の面３１ｂに形成された渦巻き状のパターンとは、平面視で略重複する位置に形成されている。基板３１のコイル３２の中心側には、略円形の孔３１ｘが設けられている。
【００５３】
配線３３は、コイル形成部３１１及び共通部３１０において基板３１の一方の面３１ａに形成されたパターンと、他方の面３１ｂに形成されたパターンとから形成されている。配線３３において、基板３１の一方の面３１ａに形成されたパターンと、他方の面３１ｂに形成されたパターンとは、平面視で略重複する位置に形成されている。
【００５４】
配線３３において、基板３１の一方の面３１ａに形成されたパターンは、コネクタ４０の端子の１つとコイル３２の基板３１の一方の面３１ａに形成された渦巻き状のパターンの一端とを接続している。又、基板３１の他方の面３１ｂに形成されたパターンは、コネクタ４０の端子の１つとコイル３２の基板３１の他方の面３１ｂに形成された渦巻き状のパターンの一端とを接続している。
【００５５】
コイル形成部３１２には、コイル３４が形成されている。コイル３４は、コイル３２と同様の構造である。基板３１のコイル３４の中心側には、略円形の孔３１ｘが設けられている。
【００５６】
配線３５は、コイル形成部３１２及び共通部３１０において基板３１の一方の面３１ａに形成されたパターンと、他方の面３１ｂに形成されたパターンとから形成されている。配線３５において、基板３１の一方の面３１ａに形成されたパターンと、他方の面３１ｂに形成されたパターンとは、平面視で略重複する位置に形成されている。
【００５７】
配線３５において、基板３１の一方の面３１ａに形成されたパターンは、コネクタ４０の端子の１つとコイル３４の基板３１の一方の面３１ａに形成された渦巻き状のパターンの一端とを接続している。又、基板３１の他方の面３１ｂに形成されたパターンは、コネクタ４０の端子の１つとコイル３４の基板３１の他方の面３１ｂに形成された渦巻き状のパターンの一端とを接続している。
【００５８】
コイル形成部３１３には、コイル３６が形成されている。コイル３６は、コイル３２と同様の構造である。基板３１のコイル３６の中心側には、略円形の孔３１ｘが設けられている。
【００５９】
配線３７は、コイル形成部３１３及び共通部３１０において基板３１の一方の面３１ａに形成されたパターンと、他方の面３１ｂに形成されたパターンとから形成されている。配線３７において、基板３１の一方の面３１ａに形成されたパターンと、他方の面３１ｂに形成されたパターンとは、平面視で略重複する位置に形成されている。
【００６０】
配線３７において、基板３１の一方の面３１ａに形成されたパターンは、コネクタ４０の端子の１つとコイル３６の基板３１の一方の面３１ａに形成された渦巻き状のパターンの一端とを接続している。又、基板３１の他方の面３１ｂに形成されたパターンは、コネクタ４０の端子の１つとコイル３６の基板３１の他方の面３１ｂに形成された渦巻き状のパターンの一端とを接続している。
【００６１】
コイル形成部３１４には、コイル３８が形成されている。コイル３８は、コイル３２と同様の構造である。基板３１のコイル３８の中心側には、略円形の孔３１ｘが設けられている。
【００６２】
配線３９は、コイル形成部３１４及び共通部３１０において基板３１の一方の面３１ａに形成されたパターンと、他方の面３１ｂに形成されたパターンとから形成されている。配線３９において、基板３１の一方の面３１ａに形成されたパターンと、他方の面３１ｂに形成されたパターンとは、平面視で略重複する位置に形成されている。
【００６３】
配線３９において、基板３１の一方の面３１ａに形成されたパターンは、コネクタ４０の端子の１つとコイル３８の基板３１の一方の面３１ａに形成された渦巻き状のパターンの一端とを接続している。又、基板３１の他方の面３１ｂに形成されたパターンは、コネクタ４０の端子の１つとコイル３８の基板３１の他方の面３１ｂに形成された渦巻き状のパターンの一端とを接続している。
【００６４】
コネクタ４０の端子から配線３３を介してコイル３２に電流を流すと、コイル３２の基板３１の一方の面３１ａに形成された渦巻き状のパターンと、他方の面３１ｂに形成された渦巻き状のパターンには、同位相の電流が流れる。これに対して、配線３３の基板３１の一方の面３１ａに形成されたパターンと、他方の面３１ｂに形成されたパターンには、逆位相の電流が流れる。
【００６５】
この構造により、配線３３及びコイル３２に電流を流したときに、コイル３２のみに磁場を発生させ、配線３３には磁場を発生させないようにできる。なお、コイル３４、３６、及び３８、並びに配線３５、３７、及び３９についても同様である。
【００６６】
コイル３２、３４、３６、及び３８の基板３１の他方の面３１ｂ側には、補強板４１が設けられている。補強板４１は、マーカコイルユニット３０を被験者の頭部に装着したときに、各コイルが歪んで位置推定時の誤差が大きくなることを防止するために設けたものである。補強板４１は、コイル３２、３４、３６、及び３８の両方の側に設けてもよい。
【００６７】
補強板４１は、例えば、アクリル等の樹脂により形成することができる。補強板４１の平面形状は、例えば円形とすることができるが、これには限定されない。補強板４１の中央部には略円形の孔４１ｘが設けられている。補強板４１の孔４１ｘは、基板３１の孔３１ｘと略同心的に設けられるが、孔４１ｘの径は孔３１ｘの径よりも大きく形成されている。又、補強板４１の孔４１ｘは、後述の突起部５２で一番横幅が広いところの径と、ほぼ同径か、それより大きいことが好ましい。
【００６８】
基板保持部５０は、基部５１と、突起部５２とを有している。基板保持部５０において、基部５１の一方の側に突起部５２が設けられている。基部５１の他方の側には、例えば、両面テープが貼り付けられており、基板保持部５０を被験者の頭部に貼り付け可能とされている。なお、本実施の形態では、基部５１は略円盤状であるが、これには限定されず、基部５１は、基板保持部５０を貼り付ける部位に適した任意の形状とすることができる。
【００６９】
基板保持部５０は、例えば、アクリル等の樹脂により形成されているため極めて軽量（１ｇ未満程度）である。そのため、基板保持部５０を被験者の頭部に貼り付けても、被験者は嫌悪感を感じ難い。
【００７０】
又、従来のマーカコイルは重かったため、自重により測定位置が当初の位置からずれたり、自重により髪の毛がひっぱられたりしていた。しかし、基板保持部５０を含むマーカコイルユニット３０は従来のマーカコイルより軽量であるため、基板保持部５０を髪の毛の上に付けてその上に基板３１を付けても、自重で測定位置が当初の位置からずれたり、自重で髪の毛がひっぱられたりすることがない。その結果、当初固定した位置での測定が可能となる。
【００７１】
基板保持部５０の基部５１の他方の側を被験者の頭部に貼り付けた後、基板３１の孔３１ｘに突起部５２を嵌めこむ（係合させる）ことで、基板保持部５０が基板３１を保持し、各コイルを被験者の頭部の所定位置に配置することができる。
【００７２】
基板保持部５０の突起部５２は、基板３１の孔３１ｘに脱挿入可能な任意の形状及び任意の寸法とすることができる。但し、突起部５２は、基部５１に近い側に括れ部５２ｘを有していることが好ましい。括れ部５２ｘは、基部５１に近い側が基部５１から遠い側よりも小径化した部分である。括れ部５２ｘの径は、基板３１の孔３１ｘの径よりも若干小さめに形成される。突起部５２の括れ部５２ｘが基板３１の孔３１ｘに嵌め込まれることで、突起部５２の括れ部５２ｘよりも上側の部分がストッパとなり、突起部５２を基板３１の孔３１ｘから抜け難くすることができる。
【００７３】
補強板４１、基板３１、及び基板３１の他方の面３１ｂに形成された渦巻き状のパターンの合計の厚さが、括れ部５２ｘの軸方向の長さと一致していることが好ましいが、多少大小しても問題はない。前記合計の厚さと括れ部５２ｘの軸方向の長さとが一致していると、がたが少ない状態で基板３１が基板保持部５０に保持される。
【００７４】
又、突起部５２には、突起部５２を軸方向（突起方向）に略２分するスリット５２ｙが設けられていることが好ましい。基板３１を基板保持部５０から外す際に、突起部５２のスリット５２ｙの両側が内側に動くため、突起部５２を基板３１の孔３１ｘから取り外しやすくすることができる。
【００７５】
又、基板３１の孔３１ｘの周囲に、孔３１ｘの外縁から外側（コイルの方向）に向かう切れ込み３１ｚが設けられていることが好ましい。図５（ａ）の例では、基板３１の孔３１ｘの周囲に４つの切れ込み３１ｚを設けているが、これには限定されず、適宜必要な個数の切れ込み３１ｚを設けることができる。
【００７６】
切れ込み３１ｚを設けることで、万一、被験者があばれて基板３１を引っ張ったような場合に、基板３１が基板保持部５０から外れ、基板保持部５０を被験者側に残すことができる。これにより、基板３１を再度同じ位置に取り付けることが可能となる。
【００７７】
図７は、基板保持部を配置する位置の一例について説明する図であり、図７（ａ）は右側面図、図７（ｂ）は正面図、図７（ｃ）は左側面図である。
【００７８】
図７の例では、コイル３６を保持する基板保持部５０は、脳波１０−２０法によるＣｚに貼付する。コイル３４を保持する基板保持部５０は、鼻根点Ａ−Ｃｚ−外後頭隆起Ｂを通る直線上に貼付する。コイル３２を保持する基板保持部５０及びコイル３８を保持する基板保持部５０は、右耳介前点Ｃ−Ｃｚ−左耳介前点Ｄを通る直線上に各々貼付する。
【００７９】
なお、脳波１０−２０法は、脳波の測定において、頭皮を１０％若しくは２０％の等間隔で区切り、計２１個の電極配置位置を決定する方法である。脳波１０−２０法においては、鼻根点、外後頭隆起、及び左右耳介前点のそれぞれの中点がＣｚとなる。
【００８０】
基板保持部５０を図７に示す各位置に貼り付けた後、各コイルの中心側の孔３１ｘを図７で説明した所定の基板保持部５０の突起部５２に挿入することで、例えば、図８に示すように、各コイルを所定位置に保持できる。なお、図８は、第２の実施の形態に係るマーカコイルユニットを被験者の頭部に装着した様子を例示する図であり、図８（ａ）は左側面図、図８（ｂ）は平面図である。
【００８１】
なお、コイル３４とコイル３６とを結ぶ線と、共通部３１０の長手方向の中心線（図４の一点鎖線）とをずらすことにより、図１に示すように、被験者が検査時に寝転んだときに共通部３１０に頭部の荷重がかることを回避できる。図７に示したコイル３４及び３６の取り付け位置を考えると、コイル３４とコイル３６とを結ぶ線の延長線上に共通部３１０の長手方向の中心線が位置すると、共通部３１０が後頭部の下敷きになる。この場合、被験者が頭を動かしたときに共通部３１０に頭部の荷重がかかり、基板保持部から基板が外れるおそれがある。
【００８２】
又、図９に示すように、マーカコイルユニット３０を被験者の頭部に装着する際に、コイル形成部３１１、３１２、３１３、及び３１４を、被験者の頭の形状に対応して予め湾曲させておく（くせを付けておく）と装着が容易である。
【００８３】
コイル形成部３１１、３１２、３１３、及び３１４を、被験者の頭の形状に対応して予め湾曲させておくには、基板３１の両面に薄いテープを貼りつければよいが、その際に、湾曲したときに内側となる面に貼り付けるテープの長さを外側となる面に貼り付けるテープの長さよりも若干短くすればよい。
【００８４】
又、図４の例では、マーカコイルユニット３０を１枚の基板３１から作製する例を示したが、マーカコイルユニット３０は、複数の基板を組み合わせて作製してもよい。例えば、図１０に示すように、３枚の基板３０１、３０２、及び３０３を別々に作製し、各基板の直線部３００を重ねるように互いに両面テープ等で貼り付けて図４の形状としてもよい。もちろん、２枚の基板や４枚の基板を組み合わせて図４の形状を作製してもよい。
【００８５】
なお、脳磁計１００のｘ、ｙ、ｚ方向の座標系を求めるためには、マーカコイルユニット３０に３つ以上のコイルを設ける必要がある。図４等ではマーカコイルユニット３０に４つのコイルを設ける例を示しているが、３つ又は５つ以上のコイルを設けても構わない。マーカコイルユニット３０に４つのコイルを設けることで、被験者の発汗等により仮に１つのコイルが外れたとしても、残りの３つのコイルによりｘ、ｙ、ｚ方向の座標系を求めることができる。
【００８６】
このように、マーカコイルユニット３０では、可撓性を有する基板３１に配線によりコイル３２、３４、３６、及び３８を形成することにより軽量化している。又、基板３１と基板保持部５０とを別体にして脱着可能とし、軽量な基板保持部５０を先に被験者の頭の所定部に貼り付けた後、基板保持部５０の突起部５２を基板３１の孔３１ｘに嵌め込み可能としている。これにより、基板保持部５０を先に被験者の頭の所定部に貼り付けてしまえば、４タッチで被験者の頭部に基板３１を装着できるため、被験者に与える嫌悪感を緩和することが可能となり、乳児や幼児に対しても容易にマーカコイルユニット３０を取り付けることができる。
【００８７】
又、孔３１ｘに突起部５２がはめ込まれた力と、基板保持部５０が頭部に貼り付けられた力を比べると、前者の方が力が弱い。そのため、検査時に仰向けになった際や、マーカコイルユニット３０をひっぱった際や、マーカコイルユニット３０が衝撃を受けた際に、基板保持部５０と基板３１とがはずれて、頭部に貼り付けられた基板保持部５０は残る。例えば、被験者があばれて基板保持部５０から基板３１を外してしまっても、基板保持部５０が被験者の頭に残るため、再度同じ位置に基板３１を容易に取り付けることができ、再現性の良い測定が可能となる。
【００８８】
又、基板保持部５０は軽量であるため髪の毛のある所にも貼り付け可能である。そのため、基板保持部５０の取り付け位置の自由度を向上できる。
【００８９】
又、従来のマーカコイル（例えば、特許文献１のマーカコイル）は取り外し時に大きな力が必要であるため、取り外し時のコイル曲がりを防止するために比較的重いハウジングを設けていた。これに対して、マーカコイルユニット３０では、基板３１に切れ込み３１ｚを設けたこと等により、従来と比べて弱い力で基板３１を基板保持部５０から取り外すことができる。そのため、従来のようなハウジングを設けることが不要となり、簡易な構造の補強板４１を設けるだけでコイルの曲りや歪みを防止可能となり、マーカコイルユニット３０全体の軽量化を実現できる。
【００９０】
〈第２の実施の形態の変形例１〉
第２の実施の形態では、マーカコイルユニット３０において、基板３１に設けられた孔に基板保持部５０の突起部５２を脱着（係合）する例を示した。しかし、マーカコイルユニットにおいて、基板及び基板保持部の何れか一方に凸形状を設け、この凸形状に係合する係合部を何れか他方に設ければ足りる。第２の実施の形態の変形例１では、基板側に凸形状を設け、基板保持部側に係合部を設ける例を示す。なお、第２の実施の形態の変形例１において、既に説明した実施の形態と同一構成部についての説明は省略する場合がある。
【００９１】
図１１は、第２の実施の形態の変形例１に係るマーカコイルユニットを例示する図である。図１１（ａ）はマーカコイルユニットの基板保持部を除く部分を例示する断面図、図１１（ｂ）はマーカコイルユニットの基板保持部を例示する断面図、図１１（ｃ）は基板保持部を基板に装着した様子を例示する断面図である。
【００９２】
図１１に示すように、第２の実施の形態の変形例１に係るマーカコイルユニット３０Ａは、基板３１に凸部６０が固定され、基板保持部５０が基板保持部７０に置換された点がマーカコイルユニット３０（図４〜図６参照）と相違する。なお、マーカコイルユニット３０Ａにおいて、基板保持部７０とそれ以外の部分とは別体になっており、被験者の頭部に装着される際に一体化される。
【００９３】
凸部６０及び基板保持部７０は、脱挿入可能な任意の形状及び任意の寸法として構わないが、一例として図１１に示す形状とすることができる。
【００９４】
図１１において、凸部６０は、基部６１と、基部６１の一方の側に突起する突起部６２とを有している。凸部６０の突起部６２は、基板３１の一方の面３１ａ側から基板３１の孔３１ｘに挿通され、基板３１の他方の面３１ｂから突出している。基部６１の基板３１の一方の面３１ａと対向する面の突起部６２の周辺部は、接着剤や粘着テープ等により、基板３１の一方の面３１ａに固定されている。
【００９５】
凸部６０は、例えば、アクリル等の樹脂により形成されている。基部６１は例えば略円盤状であるが、これには限定されず、任意の形状とすることができる。
【００９６】
基板保持部７０は、略円盤状であり、中央に凸部６０の突起部６２との係合部となる凹部７０ｘが形成されている。基板保持部７０は、例えば、アクリル等の樹脂により形成されている。
【００９７】
突起部６２は、基部６１に近い側に括れ部６２ｘを有している。括れ部６２ｘは、基部６１に近い側が基部６１から遠い側よりも小径化した部分である。又、突起部６２には、突起部６２を軸方向（突起方向）に略２分するスリット６２ｙが設けられている。又、凹部７０ｘは、入り口側よりも底面側の方が拡幅した形状とされている。
【００９８】
突起部６２の先端部及び括れ部６２ｘの径は、凹部７０ｘの入り口の径よりも若干小さめに形成され、突起部６２のスリット６２ｙが形成されている部分の最太部の径は、凹部７０ｘの入り口よりも若干大きく凹部７０ｘの底面側の拡幅した部分よりも若干小さめに形成されている。
【００９９】
凸部６０の突起部６２の先端部を基板保持部７０の凹部７０ｘの入り口側に接触させ、更に凸部６０を凹部７０ｘ側に押し込むと、スリット６２ｙの両側が内側に動いてスリット６２ｙが狭くなりながら突起部６２が凹部７０ｘに嵌めこまれる。凹部７０ｘの拡幅した側でスリット６２ｙが広がることで、突起部６２の括れ部６２ｘよりも上側の部分がストッパとなり、突起部６２を凹部７０ｘから抜け難くすることができる。
【０１００】
基板３１を基板保持部７０から外す際には、基板３１を凹部７０ｘから遠ざかる方向に引っ張ることで、突起部６２のスリット６２ｙの両側が内側に動いてスリット６２ｙが狭くなり、突起部６２を凹部７０ｘから容易に取り外すことができる。
【０１０１】
なお、基板保持部７０において凹部７０ｘに代えて、凹部７０ｘの底部が貫通した貫通孔を設けてもよい。この場合も、凸部６０の突起部６２と基板保持部７０の貫通孔とが係合可能な関係であれば、凹部７０ｘの場合と同様に基板３１を保持できる。
【０１０２】
〈第２の実施の形態の変形例２〉
第２の実施の形態の変形例２では、基板と基板保持部との取り付け部において、凸形状と凸形状に係合する係合部が面ファスナーの一部である例を示す。
なお、第２の実施の形態の変形例２において、既に説明した実施の形態と同一構成部についての説明は省略する場合がある。
【０１０３】
図１２は、第２の実施の形態の変形例２に係るマーカコイルユニットのコイル近傍を例示する部分拡大図である。図１３は、第２の実施の形態の変形例２に係るマーカコイルユニットの基板保持部を例示する図である。図１４は、第２の実施の形態の変形例２に係るマーカコイルユニットの基板保持部を基板に装着した様子を例示する図である。図１２〜図１４において、（ａ）は平面図、（ｂ）は（ａ）のＣ−Ｃ線に沿う断面図である。但し、図１２（ｂ）及び図１４（ｂ）においてコイル３２の断面は簡略化して描かれている。なお、図１２〜図１４ではコイル３２近傍を図示しているが、他のコイル近傍も同様の構造である。
【０１０４】
図１２〜図１４に示すように、マーカコイルユニット３０Ｂは、マーカコイルユニット３０における基板保持部５０及び基板保持部５０の突起部５２と係合する孔３１ｘに代えて、雄型面ファスナー８０及び雌型面ファスナー９０を有している。
【０１０５】
図１２に示すように、本実施の形態では、基板３１がコイル３２及び配線３３に対応した形状とされており、基板３１の一方の面３１ａに配置されたコイル３２の一方の側には略円形の補強板４１が固定されている。なお、図１２の例では、取り外しの際のコイルの湾曲を防止するため、コイル３２の一方の側に補強板４１が固定されているが、コイル３２の他方の側に補強板４１が固定されてもよく、この場合も同様の効果を奏する。
【０１０６】
又、基板３１の他方の面３１ｂに配置されたコイル３２の他方の側には雄型面ファスナー８０が設けられている。雄型面ファスナー８０は、コイル３２の他方の側に固定された略円形の基材８１と、基材８１の他方の側に突起する多数のフック状係合素子８２とを備えている。基材８１は、例えば、繊維や樹脂により形成することができる。フック状係合素子８２は、例えば、繊維により形成することができる。
【０１０７】
図１３に示すように、本実施の形態では、略円形の基材９１と、基材９１の一方の側に突起する多数のループ状係合素子９２とを備えた雌型面ファスナー９０が、基板保持部として機能する。基材９１は、例えば、繊維や樹脂により形成することができる。ループ状係合素子９２は、例えば、繊維により形成することができる。
【０１０８】
なお、フック状係合素子８２は、本発明に係る凸形状の代表的な一例であり、ループ状係合素子９２は、本発明に係ると凸形状に係合する係合部の代表的な一例である。但し、図１２及び図１３に図示したフック状係合素子８２及びループ状係合素子９２の形状は一例であり、凸形状と凸形状に係合する係合部であれば、他の形状であっても構わない。
【０１０９】
基材９１の他方の側には、例えば、両面テープが貼り付けられており、雌型面ファスナー９０を被験者の頭部に貼り付け可能とされている。雌型面ファスナー９０の基材９１は、基板３１のコイル形成領域、補強板４１、及び雄型面ファスナー８０の基材８１よりも大径であることが好ましい。
【０１１０】
基材９１の一方の面には、基材８１を貼り付ける際の目印となるガイド９９が、基材８１と同心的に描かれている。ガイド９９の径は、基材８１の径と略同一である。ガイド９９は、例えば、ループ状係合素子９２と異なる色の塗料を塗布して示してもよいし、ループ状係合素子９２を形成しない円周状の空間を形成して示してもよいし、他の任意の方法で示してもよい。ガイド９９を設けることで、コイルを所定位置に精度よく配置することができる。
【０１１１】
雌型面ファスナー９０の基材９１の他方の側を被験者の頭部に貼り付けた後、図１４に示すように、雌型面ファスナー９０の基材９１のガイド９９と重複するように、雄型面ファスナー８０の基材８１を配置する。これにより、フック状係合素子８２がループ状係合素子９２に引っ掛かることにより係合し、基板保持部である雌型面ファスナー９０が基板３１を保持し、各コイルを被験者の頭部の所定位置に配置することができる。
【０１１２】
又、雌型面ファスナー９０の基材９１を、基板３１のコイル形成領域、補強板４１、及び雄型面ファスナー８０の基材８１よりも大径とすることにより、基板３１を被験者の頭部から取り外す際は、基材９１の外周部を押さえることで容易に取り外し可能である。
【０１１３】
第２の実施の形態で示したマーカコイルユニット３０では、基板３１の孔３１ｘに基板保持部５０の突起部５２を嵌めこむことで係合させる。マーカコイルは耳の近くに取り付けるので、係合する際に例えば'パチッ'等の耳障りな音が発生する場合があり、この音を乳児や幼児が嫌がるおそれがある。
【０１１４】
マーカコイルユニット３０Ｂでは、フック状係合素子８２がループ状係合素子９２に引っ掛かることにより係合するが、係合する際に耳障りな音が発生しないので、上記の問題は解消される。
【０１１５】
又、フック状係合素子８２がループ状係合素子９２に引っ掛かることにより係合する構造では、第２の実施の形態で示したマーカコイルユニット３０のようにコイルの中央に位置する基板３１に孔３１ｘを設ける必要がない。コイルの中心を同定するためには、なるべく中央までコイルが巻かれていることが好ましく、マーカコイルユニット３０Ｂでは孔３１ｘが設けられていた領域にもコイルを巻くことができるため、同定の精度を向上することができる。
【０１１６】
又、フック状係合素子８２よりもループ状係合素子９２の方が柔軟である（ふわふわしている）。マーカコイルユニット３０Ｂでは柔軟であるループ状係合素子９２を被験者の頭部側に配置しているため、ループ状係合素子９２を被験者の頭部に貼り付ける際に、髪の毛に引っかかって被験者に痛みを感じさせるようなことはない。
【０１１７】
なお、図１５に示す雌型面ファスナー９０Ｃのように、雄型面ファスナー８０を取り付ける領域のみにおいて、基材９１の一方の側にループ状係合素子９２を設けてもよい。この場合は、ループ状係合素子９２自体がガイドとして機能するため、ガイド９９を設ける必要はない。
【０１１８】
雌型面ファスナー９０Ｃの基材９１の他方の側を被験者の頭部に貼り付けた後、図１６に示すように、雌型面ファスナー９０Ｃのループ状係合素子９２と重複するように、雄型面ファスナー８０の基材８１を配置する。これにより、フック状係合素子８２がループ状係合素子９２に引っ掛かることにより係合し、基板保持部である雌型面ファスナー９０Ｃが基板３１を保持し、各コイルを被験者の頭部の所定位置に配置することができる。
【０１１９】
〈第２の実施の形態の変形例３〉
第２の実施の形態の変形例３では、基板と基板保持部との取り付け部において、凸形状と凸形状に係合する係合部が面ファスナーの一部である他の例を示す。なお、第２の実施の形態の変形例３において、既に説明した実施の形態と同一構成部についての説明は省略する場合がある。
【０１２０】
図１７は、第２の実施の形態の変形例３に係るマーカコイルユニットについて説明する図であり、図１７（ａ）はマーカコイルユニットのコイル近傍を例示する平面図、図１７（ｂ）はマーカコイルユニットの基板保持部を例示する平面図、図１７（ｃ）はマーカコイルユニットの基板保持部を基板に装着した様子を例示する平面図である。
【０１２１】
図１７に示すように、マーカコイルユニット３０Ｄは、マーカコイルユニット３０における基板保持部５０及び基板保持部５０の突起部５２と係合する孔３１ｘに代えて、雄型面ファスナー８０Ｄ及び雌型面ファスナー９０Ｄを有している。
【０１２２】
図１７（ａ）に示すように、本実施の形態に係る雄型面ファスナー８０Ｄは、略円形の基材８１の外縁の一部から外側に延伸する延伸部８３が設けられた点が、雄型面ファスナー８０（図１２参照）と相違する。コイル近傍の断面構造は、図１２（ｂ）と同様である。なお、延伸部８３にはフック状係合素子８２を設けない。
【０１２３】
図１７（ｂ）に示すように、本実施の形態に係る雌型面ファスナー９０Ｄは、略円形の基材９１が基材８１と略同一径とされた点、基材９１の外縁の一部から外側に延伸する延伸部９３が設けられた点、ガイド９９が設けられていない点が雌型面ファスナー９０（図１３参照）と相違する。雌型面ファスナー９０Ｄの断面構造は、図１３（ｂ）と同様である。なお、延伸部９３にループ状係合素子９２を設けてもよい。
【０１２４】
雌型面ファスナー９０Ｄの基材９１の他方の側を被験者の頭部に貼り付けた後、図１７（ｃ）に示すように、雌型面ファスナー９０Ｄの基材９１と重複するように、雄型面ファスナー８０の基材８１を配置する。これにより、フック状係合素子８２がループ状係合素子９２に引っ掛かることにより係合し、基板保持部である雌型面ファスナー９０Ｄが基板３１を保持し、各コイルを被験者の頭部の所定位置に配置することができる。
【０１２５】
図１７（ｃ）に示すように、マーカコイルユニット３０Ｄにおいて、延伸部８３と延伸部９３とが平面視で重複しないように形成しておくことで、基板３１を被験者の頭部から取り外す際は、延伸部９３を押さえて延伸部８３を引っ張ることにより容易に取り外し可能である。
【０１２６】
フック状係合素子８２がループ状係合素子９２に引っ掛かることにより係合する構造により生じる効果については、マーカコイルユニット３０Ｂの場合と同様である。
【０１２７】
〈第２の実施の形態の変形例４〉
第２の実施の形態の変形例４では、基板と基板保持部との取り付け部において、凸形状と凸形状に係合する係合部が面ファスナーの一部である更に他の例を示す。なお、第２の実施の形態の変形例４において、既に説明した実施の形態と同一構成部についての説明は省略する場合がある。
【０１２８】
図１８は、第２の実施の形態の変形例４に係るマーカコイルユニットについて説明する図（その１）であり、図１８（ａ）はマーカコイルユニットのコイル近傍を例示する平面図、図１８（ｂ）はマーカコイルユニットの基板保持部を例示する平面図である。図１９は、第２の実施の形態の変形例４に係るマーカコイルユニットについて説明する図（その２）であり、図１９（ａ）は平面図、図１９（ｂ）は図１９（ａ）のＤ−Ｄ線に沿う断面図である。
【０１２９】
図１８及び図１９に示すように、マーカコイルユニット３０Ｅは、マーカコイルユニット３０における基板保持部５０及び基板保持部５０の突起部５２と係合する孔３１ｘに代えて、雄型面ファスナー８０Ｅ及び雌型面ファスナー９０Ｅを有している。
【０１３０】
図１８（ａ）に示すように、本実施の形態に係る雄型面ファスナー８０Ｅは、略円形の基材８１の外縁の一部から外側に延伸する３つの略三日月状の延伸部８４が設けられている。又、図１９（ｂ）に示すように、雄型面ファスナー８０Ｅでは、基材８１の他方の側に補強板４１が固定され、補強板４１の他方の側に基板３１に形成されたコイル３２が固定されている。延伸部８４の他方の側にはフック状係合素子８２が設けられている。
【０１３１】
図１８（ｂ）に示すように、本実施の形態に係る雌型面ファスナー９０Ｅは、基材８１と略同一径の略円形の基材９１の外縁の一部から外側に延伸する３つの略三日月状の延伸部９４が設けられている。基材９１及び延伸部９４の一方の側にはループ状係合素子９２が設けられている。雌型面ファスナー９０Ｅの断面構造は、図１９（ｂ）に示す通りである。
【０１３２】
雌型面ファスナー９０Ｅの基材９１の他方の側を被験者の頭部に貼り付けた後、図１９（ａ）及び図１９（ｂ）に示すように、各々の延伸部８４の基材８１側と各々の延伸部９４の基材９１側とが平面視で重複するように、雄型面ファスナー８０Ｅの基材８１を配置する。
【０１３３】
これにより、延伸部８４と延伸部９４とが平面視で重複する部分において、フック状係合素子８２がループ状係合素子９２に引っ掛かることにより係合し、基板保持部である雌型面ファスナー９０Ｅが基板３１を保持し、各コイルを被験者の頭部の所定位置に配置することができる。
【０１３４】
又、延伸部８４の先端側と延伸部９４の先端側とはずれており、平面視で重複していないため、基板３１を被験者の頭部から取り外す際は、延伸部９４を押さえて延伸部８４を引っ張ることにより容易に取り外し可能である。
【０１３５】
フック状係合素子８２がループ状係合素子９２に引っ掛かることにより係合する構造により生じる効果については、マーカコイルユニット３０Ｂの場合と同様である。
【０１３６】
なお、延伸部８４と延伸部９４は、最低２組あれば、基板保持部である雌型面ファスナー９０Ｅが基板３１を保持することができるが、延伸部８４と延伸部９４が３組以上あれば、基板保持部である雌型面ファスナー９０Ｅが基板３１をより安定して保持することができる。
【０１３７】
〈第２の実施の形態の変形例５〉
第２の実施の形態の変形例５では、基板と基板保持部との取り付け部において、凸形状と凸形状に係合する係合部が面ファスナーの一部である更に他の例を示す。なお、第２の実施の形態の変形例５において、既に説明した実施の形態と同一構成部についての説明は省略する場合がある。
【０１３８】
図２０は、第２の実施の形態の変形例５に係るマーカコイルユニットについて説明する図（その１）であり、図２０（ａ）はマーカコイルユニットの雄型面ファスナーを例示する平面図、図２０（ｂ）はマーカコイルユニットの基板保持部を例示する平面図である。図２１は、第２の実施の形態の変形例５に係るマーカコイルユニットについて説明する図（その２）であり、図２１（ａ）は平面図、図２１（ｂ）は図２１（ａ）のＥ−Ｅ線に沿う断面図である。
【０１３９】
図２０及び図２１に示すように、マーカコイルユニット３０Ｆは、マーカコイルユニット３０における基板保持部５０及び基板保持部５０の突起部５２と係合する孔３１ｘに代えて、雄型面ファスナー８０Ｆ及び雌型面ファスナー９０Ｆを有している。雄型面ファスナー８０Ｆ及び雌型面ファスナー９０Ｆは、基板３１やコイル３２等と別体とされた分離型である。
【０１４０】
図２０（ａ）に示すように、本実施の形態に係る雄型面ファスナー８０Ｆは、略円形の基材８１と、基材８１の外縁の一部から外側に延伸する３つの延伸部８５とを備えている。３つの延伸部８５は略均等に配置されている。すなわち、隣接する延伸部８５が形成する中心角は約１２０度である。
【０１４１】
延伸部８５は長手方向の一辺が略直線状であり、長手方向の他辺が湾曲した略ナイフ状に形成されている。又、図２１（ｂ）に示すように、雄型面ファスナー８０Ｆでは、基材８１及び延伸部８５の他方の側にはフック状係合素子８２が設けられている。
【０１４２】
図２０（ｂ）に示すように、本実施の形態に係る雌型面ファスナー９０Ｆは、基材８１と略同一径の略円形の基材９１と、基材９１の外縁の一部から外側に延伸する３つの延伸部９５とを備えている。３つの延伸部９５は略均等に配置されている。すなわち、隣接する延伸部９５が形成する中心角は約１２０度である。
【０１４３】
延伸部９５は長手方向の一辺が略直線状であり、長手方向の他辺が湾曲した略ナイフ状に形成されている。但し、延伸部８５と延伸部９５とは、長手方向の中心線に対して略線対称な形状とされている。又、図２１（ｂ）に示すように、雌型面ファスナー９０Ｆでは、基材９１及び延伸部９５の一方の側にはループ状係合素子９２が設けられている。
【０１４４】
雌型面ファスナー９０Ｆの基材９１の他方の側を被験者の頭部に貼り付けた後、図２１（ａ）及び図２１（ｂ）に示すように、コイル３２等が形成された基板３１を配置し、更に各々の延伸部８５の基材８１側と各々の延伸部９５の基材９１側とが平面視で重複するように、雄型面ファスナー８０Ｆの基材８１を配置する。
【０１４５】
これにより、延伸部８５と延伸部９５とが平面視で重複する部分において、フック状係合素子８２がループ状係合素子９２に引っ掛かることにより係合し、基板保持部である雌型面ファスナー９０Ｆが基板３１を保持し、各コイルを被験者の頭部の所定位置に配置することができる。
【０１４６】
又、延伸部８５の先端側と延伸部９５の先端側とはずれており、平面視で重複していないため、基板３１を被験者の頭部から取り外す際は、延伸部９５を押さえて延伸部８５を引っ張ることにより容易に取り外し可能である。
【０１４７】
フック状係合素子８２がループ状係合素子９２に引っ掛かることにより係合する構造により生じる効果については、マーカコイルユニット３０Ｂの場合と同様である。
【０１４８】
なお、延伸部８５と延伸部９５が３組以上あれば、基板保持部である雌型面ファスナー９０Ｆが基板３１を安定して保持することができる。
【０１４９】
〈第２の実施の形態の変形例６、７〉
第２の実施の形態の変形例６及び７では、基板と基板保持部との取り付け部において、凸形状と凸形状に係合する係合部が面ファスナーの一部である更に他の例を示す。なお、第２の実施の形態の変形例６及び７において、既に説明した実施の形態と同一構成部についての説明は省略する場合がある。
【０１５０】
図２２は、第２の実施の形態の変形例６に係るマーカコイルユニットの基板保持部を基板に装着した様子を例示する図である。
【０１５１】
図２２に示すように、マーカコイルユニット３０Ｇは、雌型面ファスナー９０が雌型面ファスナー９０Ｇに置換された点が、マーカコイルユニット３０Ｂ（図１２〜図１４参照）と相違する。雄型面ファスナー８０の構造や、雄型面ファスナー８０を雌型面ファスナー９０Ｇに取り付けた際の断面構造は、図１２や図１４と同様である。
【０１５２】
図２２に示すように、雌型面ファスナーの形状は、コイルの形状や雄型面ファスナーの形状と必ずしも同じとする必要はない。図２２に示す雌型面ファスナー９０Ｇにおいて、基材９１Ｇはリボン状（細長い長方形）とされている。基材９１Ｇがリボン状（細長い長方形）である場合、髪の毛の分け目に沿って貼り付けることで、頭皮への接着面積を大きくできるという効果がある。
【０１５３】
なお、基材９１Ｇは十字状としてもよい。十字状の場合、雄型面ファスナー８０の取付位置（十字の中心位置）がわかりやすいという効果がある。
【０１５４】
図２３は、第２の実施の形態の変形例７に係るマーカコイルユニットの基板保持部を基板に装着した様子を例示する図である。
【０１５５】
図２３に示すように、マーカコイルユニット３０Ｈは、雄型面ファスナー８０が雄型面ファスナー８０Ｈに置換された点が、マーカコイルユニット３０Ｇ（図２２参照）と相違する。雄型面ファスナー８０Ｈの断面構造や、雄型面ファスナー８０Ｈを雌型面ファスナー９０Ｇに取り付けた際の断面構造は、図１９（ｂ）と同様である。
【０１５６】
図２３に示す雄型面ファスナー８０Ｈにおいて、基材８１Ｈはリボン状（細長い長方形）とされている。このように、雄型面ファスナーの形状は、コイルの形状と必ずしも同じとする必要はない。
【０１５７】
以上、好ましい実施の形態について詳説したが、上述した実施の形態に制限されることはなく、特許請求の範囲に記載された範囲を逸脱することなく、上述した実施の形態に種々の変形及び置換を加えることができる。
【０１５８】
又、上記の実施の形態では、マーカコイルユニット３０において、基板３１のコイルの中心に、基板保持部５０の突起部５２を脱着する孔を設ける例を示した。基板３１のコイルの中心に孔を設けることは、被験者が動いてもコイルがずれ難く、曲がり難い点で好適である。又、ＭＲＩ画像との位置合わせ精度向上のために、３Ｄデジタイザを使用してマーカコイルユニット３０の３次元座標を取得する場合があるが、この場合、基板３１のコイルの中心に孔を設けることにより、３次元座標を取得する際の計算を簡略化することができる。但し、基板保持部５０は基板３１を保持することを目的としているため、必ずしも基板３１のコイルの中心に孔を設ける必要はなく、基板３１の任意の位置に孔を設けることができる。
【０１５９】
又、上記の実施の形態では、本発明に係るマーカコイルユニットを脳磁計に用いる例を示したが、本発明に係るマーカコイルユニットは脳磁計以外の生体磁気計測計（脊磁計等）に用いてもよい。この際、第１及び第２の実施の形態に係るマーカコイルユニットは、頭以外の被験者の体の一部（胴体や腕等）にも容易に装着可能である。
【符号の説明】
【０１６０】
１０、３０、３０Ａ〜３０Ｈ  マーカコイルユニット
１１、３０１、３０２、３０３、３１  基板
１１ｔ、３１ｔ  貫通配線  
１２、１４、１６、３２、３４、３６、３８  コイル
１３、１５、１７、３３、３５、３７、３９  配線
１８、４１  補強板
１９  滑り止めシート
２０、４０  コネクタ
３１０  共通部
３１１、３１２、３１３、３１４  コイル形成部
３１ｘ、４１ｘ  孔
３１ｚ  切れ込み
５０、７０  基板保持部
５１、６１  基部
５２、６２  突起部
５２ｘ、６２ｘ  括れ部
５２ｙ、６２ｙ  スリット
７０ｘ  凹部
８０、８０Ｄ、８０Ｅ、８０Ｆ、８０Ｈ  雄型面ファスナー
９０、９０Ｃ、９０Ｄ、９０Ｅ、９０Ｆ、９０Ｇ  雌型面ファスナー
８１、９１  基材
８２  フック状係合素子
８３、８４、８５、９３、９４、９５  延伸部
９２  ループ状係合素子
９９  ガイド
【先行技術文献】
【特許文献】
【０１６１】
【特許文献１】特許第４０２９３１３号
【図１】
2017217457.tif 000003
【図２】
2017217457.tif 000004
【図３】
2017217457.tif 000005
【図４】
2017217457.tif 000006
【図５】
2017217457.tif 000007
【図６】
2017217457.tif 000008
【図７】
2017217457.tif 000009
【図８】
2017217457.tif 000010
【図９】
2017217457.tif 000011
【図１０】
2017217457.tif 000012
【図１１】
2017217457.tif 000013
【図１２】
2017217457.tif 000014
【図１３】
2017217457.tif 000015
【図１４】
2017217457.tif 000016
【図１５】
2017217457.tif 000017
【図１６】
2017217457.tif 000018
【図１７】
2017217457.tif 000019
【図１８】
2017217457.tif 000020
【図１９】
2017217457.tif 000021
【図２０】
2017217457.tif 000022
【図２１】
2017217457.tif 000023
【図２２】
2017217457.tif 000024
【図２３】
2017217457.tif 000025